(57)【特許請求の範囲】
【請求項１】
光源ユニットと、光源ユニットと組み合わされるランプハウスと、からなる光源装置であり、
光源ユニットが、
光源が固定される光源固定部材と、
光源固定部材が取り付けられる光源側位置決め部材と、
光源側位置決め部材に対する光源固定部材のｘ，ｙ，ｚ方向の位置を調整する位置調整機構と、
光源側位置決め部材が固定されており外装側当てつけ面を有した光源ユニット外装と、
を備えており、
ランプハウスが、
光源ユニットの光源側位置決め部材が嵌合される光源ユニット嵌合孔と、光源ユニット嵌合孔中に光源ユニットの光源側位置決め部材が嵌合されることにより光源ユニット外装の外装側当てつけ面が当接されるランプハウス側当てつけ面と、を有するランプハウス本体を備えている、
ことを特徴とする光源装置。
【請求項２】
前記光源ユニットの前記光源側位置決め部材が有底円筒状をしていて、その円周壁の外径面により前記ランプハウス本体の前記光源ユニット嵌合孔に嵌合される位置決め用嵌合外径が形成されているとともに、その底面に固定ビス挿通孔が形成されていて、
前記光源ユニットの前記位置調整機構が、前記光源側位置決め部材の底面の固定ビス挿通孔と、この固定ビス挿通孔に挿通され前記光源固定部材に螺合された固定ビスと、前記光源側位置決め部材の底面と前記光源固定部材との間で固定ビスの外周に配設された調整ワッシャーと、からなり、
固定ビス挿通孔の大きさが固定ビスの外径寸法より大きくなっていて、
調整ワッシャーを調整することにより固定ビスの螺進方向であるｘ方向の位置調整が可能であり、
固定ビス挿通孔の中心に対する固定ビスの位置をずらすことによりｙ及びｚ方向の位置調整が可能である、
ことを特徴とする請求項１に記載の光源装置。
【請求項３】
前記光源ユニットの前記光源側位置決め部材が円筒状をしていて、
前記光源ユニットの前記位置調整機構が、円筒状の前記光源側位置決め部材の光源側軸方向端部に形成されたビス挿通孔と、前記光源側位置決め部材のビス挿通孔に挿通された固定ビスと、前記光源側位置決め部材のビス挿通孔に挿通された固定ビスに固定された調整部材と、調整部材に形成されたビス挿通孔と、調整部材のビス挿通孔に挿通され前記光源固定部材に螺合された固定ビスと、からなり、
前記光源側位置決め部材のビス挿通孔の大きさは、前記光源側位置決め部材のビス挿通孔に挿通される固定ビスの直径寸法よりも大きく形成されていて、
調整部材に形成されたビス挿通孔の大きさは、調整部材に形成されたビス挿通孔に挿通される固定ビスの直径寸法よりも大きく形成されていて、
前記光源側位置決め部材のビス挿通孔に挿通された固定ビスが調整部材に完全に螺合されるまでは調整部材のビス挿通孔に挿通された固定ビスの螺進方向であるｘ方向の位置調整が可能であり、
調整部材のビス挿通孔に挿通された固定ビスが前記光源固定部材に完全に螺合されるまではｙ及びｚ方向の位置調整が可能である、
ことを特徴とする請求項１に記載の光源装置。
【請求項４】
前記光源ユニットの前記光源側位置決め部材に、光源側ｙ方向当てつけ面及び光源側ｚ方向当てつけ面が設けられており、
前記ランプハウスの前記ランプハウス本体に、ランプハウス側ｙ方向当てつけ面及びランプハウス側ｚ方向当てつけ面が設けられており、
前記光源ユニットの前記光源側位置決め部材が前記ランプハウスの前記ランプハウス本体に挿入され、前記光源ユニットの前記光源側位置決め部材の光源側ｙ方向当てつけ面及び光源側ｚ方向当てつけ面が、前記ランプハウスの前記ランプハウス本体のランプハウス側ｙ方向当てつけ面及びランプハウス側ｚ方向当てつけ面に当てつけられる、
ことを特徴とする請求項１に記載の光源装置。
【発明の詳細な説明】
【０００１】
【発明の属する技術分野】
本発明は、例えば顕微鏡に使用され、各種光源を用いて標本を照明する光源装置に関する。
【０００２】
【従来の技術】
従来の顕微鏡用光源装置の一例として、図９に示すもの（実開平５−１７６１５号公報に開示されているもの）が一般的に知られている。この光源装置は、ランプハウス６０と、このランプハウス６０に着脱自由に取り付けられる光源ユニット７０と、ランプハウス６０に取り付けられるコレクタレンズユニット８０とで構成されている。
【０００３】
図９（ｂ）はランプハウス６０の側面図であり、光源ユニット７０はランプハウス６０の一側面６１ａに開けられた開口部６２から挿入され、光源７２はランプハウス６０のほぼ中心部に配置される。また、ランプハウス６０の他側面６１ｂには光源７２から発した照明光を顕微鏡本体側へ導くための開口部が形成されていて、この開口部にコレクタレンズ取付部としての円筒状の固定部６３が取り付けられている。
【０００４】
この固定部６３には、その内部にコレクタレンズユニット８０が収納され、また固定部の側面には光軸方向に沿ってフォーカス調整のための長孔６４が形成されている。
【０００５】
図９（ｃ）は光源ユニット７０を示す断面図であり、光源ユニット７０は、ランプハウス６０の開口部６２に固定される固定板７１と、光源７２を支えるソケット部７３と、光源７２の心出し機構７４とから構成される。心出し機構７４は、内部を空洞にした調整環７５が固定板７１の一方の壁面に固定されている。調整環７５の内部には上下調整部材７６が上下方向に摺動自在に設けられている。
【０００６】
この上下調整部材７６は、バネ７７によって下端部より上方に付勢され、調整環７５の上面から螺入された上下調整つまみ７８ａの先端が当接して上方への移動が規制されている。
【０００７】
また、上下調整部材７６の中心にはソケット支持軸７９が水平方向に摺動自在に挿入されている。このソケット支持軸７９の一端は固定板７１の他方面側に貫通し、その先端部にソケット部７３の支持部材が嵌合して固定されるようになっている。なお、固定板７１のソケット支持軸７９が貫通する部分には、ソケット支持軸７９の上下方向のストロークに応じた幅の長孔または貫通孔が形成されている。
【０００８】
さらに、ソケット支持軸７９の他端は調整環７５の側面より螺入された水平調整つまみ７８ｂの先端が当接している。ソケット支持軸７９は内部に設けられたバネ（図示せず）によって、常に水平調整つまみ７８ｂ方向へ付勢されている。
【０００９】
このように構成された光源ユニット７０は、固定板７１をランプハウス６０の開口部６２に固定したのち、ソケット部７３によって支持されている光源７２の輝点を、ランプハウス６０内で光軸に垂直方向に位置調整することが可能となる。
【００１０】
また、図９（ａ）はコレクタレンズユニット８０の断面図であり、これは固定部６３に挿入され、円筒状部材８１の内部にコレクタレンズ８２ａ〜８２ｄを同一光軸上に保持している。上記円筒状部材８１の側面には、ねじが形成されている。上記固定部６３の側面には長孔６４が形成されており、コレクタレンズユニット８０から、光源７２までの距離を調整し、光源７２のフォーカス調整を行うのに十分な長さを確保している。
【００１１】
このような構成によって、光源７２の輝点を、光軸に平行方向に位置調整したのと同様な効果を得ることができる。
【００１２】
【発明が解決しようとする課題】
一般に光源として使用されるランプは、取付部と輝点との距離に誤差があり、例えばランプの寿命などにより交換が必要となり、新しいランプに交換すると、輝点の位置がズレてしまい、照明性能の劣化を招いてしまう。特に放電管タイプのランプの場合、輝点が点光源となるため、照明性能の劣化が著しい。
【００１３】
このため、ランプ交換を行った後に再度ランプの輝点位置の調整を行わなければならない。また、製品を購入し、最初に使用する場合にも、同様にランプの輝点位置の調整を行わなければならない。
【００１４】
本発明は、以上のような実情に鑑みてなされたもので、光源交換時や購入時に、光源の輝点の心出し操作を省くことができ、操作性の向上を図ることができる、顕微鏡用光源装置を提供することを目的とする。
【００１５】
【課題を解決するための手段】
前記目的を達成するため、請求項１に対応する発明は、光源ユニットと、光源ユニットと組み合わされるランプハウスと、からなる光源装置であり、
光源ユニットが、
光源が固定される光源固定部材と、
光源固定部材が取り付けられる光源側位置決め部材と、
光源側位置決め部材に対する光源固定部材のｘ，ｙ，ｚ方向の位置を調整する位置調整機構と、
光源側位置決め部材が固定されており外装側当てつけ面を有した光源ユニット外装と、
を備えており、
ランプハウスが、
光源ユニットの光源側位置決め部材が嵌合される光源ユニット嵌合孔と、光源ユニット嵌合孔中に光源ユニットの光源側位置決め部材が嵌合されることにより光源ユニット外装の外装側当てつけ面が当接されるランプハウス側当てつけ面と、を有するランプハウス本体を備えている、
ことを特徴とする光源装置である。
【００１７】
前記目的を達成するため、請求項２に対応する発明は、次のように構成したものである。すなわち、前記光源ユニットの前記光源側位置決め部材が有底円筒状をしていて、その円周壁の外径面により前記ランプハウス本体の前記光源ユニット嵌合孔に嵌合される位置決め用嵌合外径が形成されているとともに、その底面に固定ビス挿通孔が形成されていて、
前記光源ユニットの前記位置調整機構が、前記光源側位置決め部材の底面の固定ビス挿通孔と、この固定ビス挿通孔に挿通され前記光源固定部材に螺合された固定ビスと、前記光源側位置決め部材の底面と前記光源固定部材との間で固定ビスの外周に配設された調整ワッシャーと、からなり、
固定ビス挿通孔の大きさが固定ビスの外径寸法より大きくなっていて、
調整ワッシャーを調整することにより固定ビスの螺進方向であるｘ方向の位置調整が可能であり、
固定ビス挿通孔の中心に対する固定ビスの位置をずらすことによりｙ及びｚ方向の位置調整が可能である、
ことを特徴とする請求項１に記載の光源装置である。
【００１８】
前記目的を達成するため、請求項３に対応する発明は、次のように構成したものである。すなわち、前記光源ユニットの前記光源側位置決め部材が円筒状をしていて、
前記光源ユニットの前記位置調整機構が、円筒状の前記光源側位置決め部材の光源側軸方向端部に形成されたビス挿通孔と、前記光源側位置決め部材のビス挿通孔に挿通された固定ビスと、前記光源側位置決め部材のビス挿通孔に挿通された固定ビスに固定された調整部材と、調整部材に形成されたビス挿通孔と、調整部材のビス挿通孔に挿通され前記光源固定部材に螺合された固定ビスと、からなり、
前記光源側位置決め部材のビス挿通孔の大きさは、前記光源側位置決め部材のビス挿通孔に挿通される固定ビスの直径寸法よりも大きく形成されていて、
調整部材に形成されたビス挿通孔の大きさは、調整部材に形成されたビス挿通孔に挿通される固定ビスの直径寸法よりも大きく形成されていて、
前記光源側位置決め部材のビス挿通孔に挿通された固定ビスが調整部材に完全に螺合されるまでは調整部材のビス挿通孔に挿通された固定ビスの螺進方向であるｘ方向の位置調整が可能であり、
調整部材のビス挿通孔に挿通された固定ビスが前記光源固定部材に完全に螺合されるまではｙ及びｚ方向の位置調整が可能である、
ことを特徴とする請求項１に記載の光源装置である。
【００１９】
前記目的を達成するため、請求項４に対応する発明は、
前記光源ユニットの前記光源側位置決め部材に、光源側ｙ方向当てつけ面及び光源側ｚ方向当てつけ面が設けられており、
前記ランプハウスの前記ランプハウス本体に、ランプハウス側ｙ方向当てつけ面及びランプハウス側ｚ方向当てつけ面が設けられており、
前記光源ユニットの前記光源側位置決め部材が前記ランプハウスの前記ランプハウス本体に挿入され、前記光源ユニットの前記光源側位置決め部材の光源側ｙ方向当てつけ面及び光源側ｚ方向当てつけ面が、前記ランプハウスの前記ランプハウス本体のランプハウス側ｙ方向当てつけ面及びランプハウス側ｚ方向当てつけ面に当てつけられる、
ことを特徴とする請求項１に記載の光源装置である。
【００２２】
【発明の実施の形態】
以下、本発明の実施形態について図面を参照して説明する。
【００２３】
図１〜図４は、本発明の第１実施形態を説明するための図である。図１は光源装置の全体構成を示す正断面図であり、光源装置は光源ユニット１０と、ランプハウス２０は組合わされ、これらは以下のように構成されている。
【００２４】
図２は、光源ユニット１０を示す側断面図であり、光源ユニット１０は主として位置調整機構７と、光源１１と、光源固定部材１２と、光源側位置決め部材１４と、光源ユニット外装１５からなっている。
【００２５】
光源１１は、例えばメタルハライドランプからなり、輝点１１ａと光源固定部１１ｂとイグナイタ（図４）６と接続するための端子１１ｃを有しており、この光源１１は光源固定部材１２の一面例えば図の裏側にセットビス（図示せず）により固定されている。
【００２６】
光源固定部材１２は、円環状であって光源固定用孔１２ｂを有し、壁面にビス螺合孔（めねじ孔）１２ａが形成され、その光源固定用孔１２ｂに光源固定部１１ｂが挿入固定されている。
【００２７】
光源ユニット外装１５は、有底円筒状であって、円周壁の一部に、工具挿入孔１５ａが形成され、工具挿入孔１５ａは後述するランプハウス２０を組合わせ固定する際に光源ユニット固定ビス２３をねじ止めする際に使用するものであり、またその内側底面は外装側当てつけ面１５ｂとして構成され、外装側当てつけ面１５ｂには固定ビス９を挿通するためのビス挿通孔（図示せず）が形成されている。
【００２８】
光源側位置決め部材１４は、有底円筒状であってこの円周壁の外径面により位置決め用嵌合外径１４ａが形成され、その底面に円形の開口孔１４ｂが形成され、かつその底面に固定ビス８を挿通するための固定ビス挿通孔１４ｃが形成されており、その円周壁の軸方向端面側にビス螺合孔（図示せず）が形成されている。
【００２９】
このような構成の光源側位置決め部材１４は、光源ユニット外装１５の外装側当てつけ面１５ｂに当接した状態で、該当てつけ面１５ｂに形成されている前記ビス挿通孔に固定ビス９を挿通させると共に、前記光源側位置決め部材１４に形成されているビス螺合孔に螺合するようにして、光源側位置決め部材１４は光源ユニット外装１５に固定されている。なお、位置決め用嵌合外径１４ａには後述する、ランプハウス２０のすり割２１ｂに嵌まるピン１６が螺合されている。
【００３０】
ここで、光源１１を固定した光源固定部材１２は、固定ビス８を固定ビス挿通孔１４ｃに挿通させると共に、ビス螺合孔１２ａに螺合させるようにして光源側位置決め部材１４に固定される。この場合、光源固定部材１２と光源側位置決め部材１４の間であって、固定ビス８の外周側に複数の調整ワッシャー１３が配設されている。この各調整ワッシャー１３は、例えば０．１ｍｍ〜１ｍｍ程度の範囲で調整できるようになっている。
【００３１】
このような構成の光源ユニット１０において、位置調整機構７は、調整ワッシャー１３と、固定ビス８と、光源側位置決め部材１４の固定ビス挿通孔１４ｃによって構成されている。具体的には、固定ビス挿通孔１４ｃと固定ビス８の関係は遊挿状態（ビスガタ、つまり固定ビス挿通孔１４ｃの大きさが固定ビス８の外径寸法より多少大きくなっている状態）となっている。このため、光源１１が固定された光源固定部材１２を、更に光源側位置決め部材１４に取付た状態で、図示しない位置調整治具にセットすることにより、例えば図２のｘ方向（固定ビス８の螺進方向）は、調整ワッシャー１３の間隔を調整することで可能であり、ｙ，ｚ方向は固定ビス８を固定ビス挿通孔１４ｃの中心に対して位置をずらすことによって調整できるようになっている。
【００３２】
図３は、ランプハウス２０を説明するための図であり、図３（ａ）は一部を断面した正面図であり、図３（ｂ）は一部を断面した側面図である。ランプハウス２０は、主としてランプハウス本体２１と、ランプハウス外装２２と、コレクタレンズ枠２４と、コレクタレンズ２５とで構成されている。
【００３３】
また、ランプハウス本体２１の側面部［図３（ａ）の右側部］には、円形の光源ユニット嵌合孔２１ａｈが形成されるように孔形成部材２１ａが設けられている。この場合、光源ユニット嵌合孔２１ａｈには、光源側位置決め部材１４の位置決め用嵌合外径１４ａが嵌合できるように、該嵌合外径１４ａの直径寸法よりわずかに大きく形成されている。又、光源ユニット嵌合孔２１ａｈには、光源ユニット固定ビス２３が螺合され、この固定ビス２３は光源ユニット１０を装着したときこれを固定するために使用するものである。さらに、光源ユニット嵌合孔２１ａｈには、ランプハウス２０に光源ユニット１０を組合わせたときに光源ユニット１０に設けられているピン１６が挿入できるようにすり割２１ｂが設けられている。
【００３４】
また、ランプハウス本体２１の正面部［図３（ｂ）の左側部］には、コレクタレンズユニット嵌合孔２１ｃが形成され、この嵌合孔２１ｃにはコレクタレンズ枠２４が嵌合され、コレクタレンズ枠２４にはコレクタレンズ２５が固定されており、輝点位置の光源１１からの光を顕微鏡などの鏡体内部へ照光できるようになっている。また、コレクタレンズユニット嵌合孔２１ｃの外側には、鏡体取付部２１ｄが設けられており、顕微鏡などの鏡体に取り付けることができるようになっている。
【００３５】
尚、コレクタレンズ２５およびコレクタレンズ枠２４からなるコレクタレンズユニットは、図示しないビスなどにより固定されていても、輝点１１ａのフォーカス調整のために光軸２６方向に移動可能となっていてもどちらでもよい。コレクタレンズユニット嵌合孔２１ｃには、図３に示すようにランプハウス２０における、最適な照明光を得るための最適輝点位置２７を備えている。
【００３６】
図４は、以上述べた光源装置の電気的接続関係を説明するための図であり、この例は光源１１としてメタルハライドランプを使用した場合であり、このため光源ユニット外装１５に、メタルハライドランプを点灯するための電気回路が実装されたイグナイタ６が取り付けられている。光源１１の端子１１ｃがイグナイタ６に例えば配線５により電気的に接続され、イグナイタ６からの配線５は同じく光源ユニット外装１５に設けられた二つの接続端子４に接続されている。
【００３７】
一方、ランプハウス２０には、例えば光源ユニット１０を取り付けたときに接続端子４がはまり込み、電気的な接触が得られるように、バネ接点３が設けられている。バネ接点３は図示のように電源コード２に接続され、電源コード２の先端の接続プラグ２ａを介して電源装置１に有するレセプタクル１ａに接離可能に接続されている。
【００３８】
従って、光源ユニット１０をランプハウスに２０に機械的に取り付けると、同時に接続端子４がバネ接点３にはまり込んで電源１に対して電気的接続が行なわれる。逆に、ランプハウス２０から光源ユニット１０を取り外すと、同時に接続端子４がバネ接点３から外れて電源１から光源１１に対して電力供給が断たれる。
【００３９】
このような構成の光源ユニット１０とランプハウス２０を組合わせるには、予め光源ユニット１０における光源１１の固定位置を、輝点１１ａが正しい位置になるように調整しておく。すなわち、光源ユニット１０において、ｘ方向については光源ユニット外装１５の外装側当てつけ面１５ｂを、ｙ，ｚ方向については光源側位置決め部材１４の位置決め用嵌合外径１４ａをそれぞれ基準にして、図示しない位置調整治具に取付け、ｘ方向については調整ワッシャー１３によって、ｙ，ｚ方向については光源側位置決め部材１４に設けられた固定ビス挿通孔１４ｃと固定ビス８とのガタによってそれぞれｘ，ｙ，ｚ方向に動かして、輝点１１ａの位置を、ランプハウス２０に取り付けたときに最適輝点位置２７の位置になるように調整し、固定ビスによって固定する。
【００４０】
この時、各調整ワッシャー１３は、例えば０．１ｍｍ〜１ｍｍ程度の範囲で複数枚用意され、光源１１の輝点１１ａを所定の位置に調整するために適当な組み合わせがなされた後、光源固定部材１２と光源側位置決め部材１４の間に挟み込まれる。
【００４１】
いま、寿命などにより光源１１の交換が発生した場合、交換光源として、前述のように調整がなされた光源ユニット１０を準備し、以下のようにすればよい。新しい光源ユニット１０の位置決め用嵌合外径１４ａを、ランプハウス２０の光源ユニット嵌合孔２１ａｈに挿入し、外装側当てつけ面１５ｂにランプハウス側当てつけ面２１ｅが当接したところで、工具挿入孔１５ａからドライバーなどの工具によって光源ユニット固定ビス２３を締め付け、光源ユニット１０を固定すればよい。
【００４２】
以上述べた第１の実施形態によれば、位置調整機構７、及び光源側位置決め部とランプハウス側位置決め部とを備えているので、以下のような作用効果が得られる。光源側位置決め部とランプハウス側位置決め部は、位置決め用嵌合外径１４ａと光源ユニット嵌合孔２１ａｈ、並びに外装側当てつけ面１５ｂとランプハウス側当てつけ面２１ｅにより構成されている。このため、光源１１として使用されるランプの取付部と輝点との距離に誤差があった場合でも、例えばランプの寿命などにより交換が必要となり新しいランプに交換したときに、輝点の位置を正確にランプハウスの最適輝点位置に配することが可能となり、特に輝点位置の調整をすることなく照明性能を確保することができる。
【００４３】
また、購入して初めて使用する際にも、ランプを取り付ければ特に調整しなくても輝点位置を最適輝点位置に配することが可能である。したがって、ランプ交換時も購入して初めて使用する際にも、大幅な操作性の改善が可能となる。
【００４４】
図５は、本発明の第２実施形態を説明するための光源ユニット３０の側断面図であり、第１実施形態と異なる点は、図２の光源ユニット１０に有する位置調整機構７の構成のみであるので、図２と同じ作用の部材には同符号を付け説明を省略する。すなわち、新たに調整部材３１を設けると共に、第１実施形態で設けた調整ワッシャー１３を使用せずに、固定ビス８及び２８と、ビス挿通孔３１ａ，１４ｄと、ビス螺合孔１２ａ，３１ｃとにより、位置調整機構７Ａを構成したものである。
【００４５】
調整部材３１は、円板体３１ＡとＬ形部３１Ｂを一体に形成したものであり、円板体３１Ａは一部にビス挿通孔３１ａ及び中央部に開口部３１ｂを有しており、またＬ形部３１Ｂは、円板３１Ａに対して一体的に形成されかつビス螺合孔３１ｃを有している。
【００４６】
円板体３１Ａと光源固定部材１２は固定ビス８により固定され、またＬ形部３１Ｂと光源側位置決め部材１４は固定ビス２８により固定されている。具体的には、光源側位置決め部材１４（図２とは異なり底面を有していない、単なる円筒状のもの）の光源側よりの軸方向端部に形成されているビス挿通孔１４ｄの大きさは、固定ビス２８の直径寸法より大きく形成されている。又、ビス挿通孔３１ａの大きさは、固定ビス８の直径寸法より大きく形成されている。
【００４７】
なお、光源固定部材１２にビス螺合孔１２ａが形成され、また調整部材３１のＬ形部３１Ｂにビス螺合孔３１ｃが形成されているので、固定ビス８をビス挿通孔３１ａに挿通して光源固定部材１２のビス螺合孔１２ａに完全に螺合させるまでに、例えばｙ，ｚ方向の調整ができるばかりでなく、また固定ビス２８をビス挿通孔１４ｄに挿通して調整部材３１のビス螺合孔３１ｃに完全に螺合させるまでに、ｘ方向の調整ができる。
【００４８】
このような構成の光源ユニット３０において、実施形態１と同様な基準で、図示しない位置調整治具に取付け、ｙ，ｚ方向については調整部材３１に設けられたビス挿通孔３１ａと固定ビス８とのガタによって、又ｘ方向については光源側位置決め部材１４に設けられたビス挿通孔１４ｄと固定ビス２８とのガタによってそれぞれｘ，ｙ，ｚ方向に動かして、輝点１１ａの位置を最適輝点位置に調整し、それぞれの固定ビスによって固定される。
【００４９】
以上のような光源ユニット３０を第１実施形態と同様にしてランプハウス２０に組合わせることによって、第１実施形態と同様な効果を得ることができる。
【００５０】
図６〜図８は、本発明の第３実施形態を説明するための図であって、図６及び図７はそれぞれ光源ユニット４０の断面図及び図６の光源の先端から見た図であり、図８（ａ），（ｂ）は夫々ランプハウス５０の一部を断面した正面図及びその一部を断面した側面図である。ここでは、第１実施形態と異なる点を主として説明し、第１実施形態と同じ作用の部材には同符号を付け説明を省略する。第１実施形態の光源側位置決め部材１４を設けず、光源側ｙ方向当てつけ面４１ａ並びに光源側ｚ方向当でつけ面４１ｂ（図の裏側）が設けられている光源側位置決め部材４１を追加したものである。また、第１実施形態のランプハウス２０のランプハウス本体２１を設けず、この代わりにランプハウス側ｙ方向当てつけ面５１ａと、ランプハウス側ｚ方向当てつけ面５１ｂが設けられているランプハウス５０のランプハウス本体５１を設けたものである。これ以外の構成は、第１実施形態と同一である。
【００５１】
次に、以上のような構成の第３実施形態の作用効果について説明する。いま、光源ユニット４０において、ｘ方向については光源ユニット外装１５の外装側当てつけ面１５ｂを、ｙ方向については光源側ｙ方向当てつけ面４１ａを、ｚ方向については光源側ｚ方向当てつけ面４１ｂをそれぞれ基準にして、図示しない位置調整治具に取付け、第１実施形態と同様にして輝点１１ａの位置を最適輝点位置に調整する。寿命などにより光源の交換が発生した場合、交換光源として、前記調整がなされた光源ユニット４０を提供する。新しい光源ユニット４０の光源側位置決め部材４１をランプハウス本体５１に挿入し、外装側当でつけ面１５ｂをランプハウス側当てつけ面５１ｃに当てつける。
【００５２】
さらに、光源側ｙ方向当てつけ面４１ａをランプハウス側ｙ方向当てつけ面５１ａに、光源側ｚ方向当てつけ面４１ｂをランプハウス側ｚ方向当てつけ面５１ｂにそれぞれ当てつけ、工具挿入孔１５ａからドライバーなどの工具によって光源ユニット固定ビス２３を締め付け、光源ユニット４０を固定する。
【００５３】
以上のように、第３実施形態においても第１実施形態と同様な作用によって、同様な効果を得ることができる。
【００５４】
本発明は、以上述べた各実施形態に限定されず、次のように変形して実施できる。
【００５５】
（１）前述の光源ユニット１０，３０，４０の輝点位置調整において、ｘ，ｙ，ｚの各方向の位置調整機構として、一端側からバネなどの弾性体により付勢し、他端側からツマミやビスなどにより抑圧することにより調整する機構を用いてもよい。
【００５６】
（２）位置調整機構として、ｘ，ｙ，ｚ方向それぞれにおいて、変位を与えた後、固定することができる、その他の機構を用いてもよい。
【００５７】
（３）ランプハウス２０，５０と光源ユニット１０，３０，４０の位置決め機構においても、ｘ，ｙ，ｚ方向それぞれの当てつけ面は、平面でなくビスなどで構成するようにしてもよい。
【００５８】
（４）ｘ，ｙ，ｚ方向それぞれにおいて、位置がただ一つ決まるその他の機構を用いてもよい。
【００５９】
（５）本発明の実施形態に用いた図は、放電管タイプのランプを用いたが、ハロゲンランプのようなフィラメントタイプのランプを用いてもよい。
【００６０】
【発明の効果】
本発明によれば、光源交換時や購入時に、光源の輝点の心出し操作を省くことができ、操作性を向上させ、各種照明性能を容易に十分引き出せる顕微鏡用光源装置を提供することができる。
【図面の簡単な説明】
【図１】本発明の顕微鏡用光源装置の第１実施形態を説明するための一部を断面した正面図。
【図２】図１の光源ユニットを説明するための図。
【図３】図１のランプハウスを説明するための図。
【図４】図１の光源ユニットとランプハウスの電気的接続状態を説明するための図。
【図５】本発明の顕微鏡用光源装置の第２実施形態に係る光源ユニットを説明するための図。
【図６】本発明の顕微鏡用光源装置の第３実施形態に係る光源ユニットを説明するための図。
【図７】本発明の顕微鏡用光源装置の第３実施形態に係る光源ユニットを説明するための図。
【図８】本発明の顕微鏡用光源装置の第３実施形態に係るランプハウスを説明するための図。
【図９】従来の顕微鏡用光源装置の一例を説明するための構成図。
【符号の説明】
１…電源
１ａ…レセプタクル
２…電源コード
２ａ…接続プラグ
３…バネ接点
４…接続端子
５…配線
６…イグナイタ
７…位置調整機構
７Ａ…位置調整機構
８…固定ビス
９…固定ビス
１０…光源ユニット
１１…光源
１１ａ…輝点
１１ｂ…光源固定部
１１ｃ…端子
１２…光源固定部材
１２ｂ…光源固定用孔
１２ａ…ビス螺合孔
１３…調整ワッシャー
１４…光源側位置決め部材
１４ｂ…開口孔
１４ｄ…ビス挿通孔
１４ｃ…固定ビス挿通孔
１５…光源ユニット外装
１５ａ…工具挿入孔
１５ｂ…外装側当てつけ面
１６…ピン
２０…ランプハウス
２１ｂ…すり割
２１…ランプハウス本体
２１ａｈ…光源ユニット嵌合孔
２１ａ…孔形成部材
２１ｃ…コレクタレンズユニット嵌合孔
２１ｃ…嵌合孔
２１ｄ…鏡体取付部
２１ｅ…ランプハウス当てつけ面
２２…ランプハウス外装
２３…光源ユニット固定ビス
２４…コレクタレンズ枠
２５…コレクタレンズ
２６…光軸
２７…最適輝点位置
２８…固定ビス
３０…光源ユニット
３１…調整部材
３１Ａ…円板体
３１Ｂ…Ｌ形部
３１ａ…ビス挿通孔
３１ｂ…開口部
３１ｃ…ビス螺合孔
３１d…ビス挿通孔
４０…光源ユニット
４１ａ…光源側ｙ方向当てつけ面
４１ｂ…光源側ｘ方向当てつけ面
４１…光源側位置決め部材
５０…ランプハウス
５１ａ…ランプハウス側ｙ方向当てつけ面
５１ｂ…ランプハウス側ｚ方向当てつけ面
５１…ランプハウス本体
５１ｃ…ランプハウス当てつけ面
６０…ランプハウス
７０…光源ユニット
８０…コレクタレンズユニット
８１…円筒状部材
８２ａ〜８２ｄ…コレクタレンズ
【図１】
0004743946.tif 000002
【図２】
0004743946.tif 000003
【図３】
0004743946.tif 000004
【図４】
0004743946.tif 000005
【図５】
0004743946.tif 000006
【図６】
0004743946.tif 000007
【図７】
0004743946.tif 000008
【図８】
0004743946.tif 000009
【図９】
0004743946.tif 000010